(57)【特許請求の範囲】
【請求項１】
複数の円筒状の感光体ドラムを収納すると共に、厚さ方向に積み重ねられた状態で外装ケースの内部に収容される収容トレイを備える感光体ドラム収容容器であって、
前記収容トレイは、
前記感光体ドラムの長さに対応する長さを有すると共に該感光体ドラムの直径に対応する幅及び深さを有し、該感光体ドラムの幅方向に所定間隔をあけて配置される１０個の収納凹部と、
前記収納凹部の長手方向の一端部に配置され、前記感光体ドラムの長手方向の一端部を支持する第１ドラム支持部と、
前記収納凹部の長手方向の他端部に配置され、前記感光体ドラムの長手方向の他端部を支持する第２ドラム支持部と、
前記１０個の収納凹部の周囲から外側に延出する外周部と、
前記外周部の一部に設けられ、前記収納凹部に前記感光体ドラムを収納可能な収納空間を形成した状態で、上方に積み重ねられた収容トレイを支持する複数の第１トレイ支持部と、
隣り合って配置される前記収納凹部のうちの、前記感光体ドラムの幅方向において前記外周部に隣接する一の前記収納凹部と、前記一の収納凹部に隣接する前記収納凹部と、の間に設けられると共に、前記一の収納凹部以外の他の前記収納凹部を、前記感光体ドラムの幅方向において２つずつ分けるように合計で５か所設けられ、前記収容トレイを構成するシート状部材が上面側に断面略山形状に突出して構成される凸条部分であって、前記収納凹部の長手方向に沿って延びるように成形されて形成された複数の凸条部分の頂上部の一部により構成され、前記収納空間を形成した状態で、上方に積み重ねられた収容トレイを支持する複数の第２トレイ支持部と、
前記５か所以外の、隣り合って配置される２つの前記収納凹部の間において、前記収納凹部の長手方向に沿う方向に延びるリブ部と、を備え
前記収容トレイを積み重ねて前記収納空間を形成した場合に上下方向に重なる位置に配置される前記第２トレイ支持部は、前記収納凹部の長手方向に所定距離離れた位置に配置される感光体ドラム収容容器。
【請求項２】
前記リブ部は前記凸条部分よりも低い高さで上面側に凸となって構成される請求項１に記載の感光体ドラム収容容器。
【請求項３】
前記収容トレイは、
前記収納凹部の長手方向の一端部における下面側に設けられ、下方に配置された収容トレイに収納された感光体ドラムの長手方向の一端部を押圧する第１押圧部と、
前記収納凹部の長手方向の他端部における下面側に設けられ、下方に配置された収容トレイに収納された感光体ドラムの長手方向の他端部を押圧する第２押圧部と、を更に備える請求項１又は２に記載の感光体ドラム収容容器。
【請求項４】
前記感光体ドラムは、外周面に感光層が形成された円筒状であり、該円筒状の一端部に第１フランジ部が取り付けられると共に、該円筒状の他端部に第２フランジ部が取り付けられ、
前記第１フランジ部は、前記第１ドラム支持部に支持されて前記第１押圧部に押圧され、
前記第２フランジ部は、前記第２ドラム支持部に支持されて前記第２押圧部に押圧される請求項３に記載の感光体ドラム収容容器。
【請求項５】
最も上部に積み重ねられた前記収容トレイの上部に配置され、前記複数の収納凹部を覆う蓋部材を更に備える請求項１〜４のいずれかに記載の感光体ドラム収容容器。
【請求項６】
前記第１ドラム支持部と前記第２ドラム支持部とが厚さ方向に重なり合うように前記複数の収容トレイが積み重ねられた場合に前記収納空間が形成され、
前記第１ドラム支持部が厚さ方向に重なり合うように前記複数の収容トレイが積み重ねられた場合に前記収納空間が形成されない請求項１〜５のいずれかに記載の感光体ドラム収容容器。
【請求項７】
前記複数の収容トレイは、交互に積み重ねられる第１トレイ及び第２トレイを含んで構成され、
前記第１トレイと前記第２トレイとは、前記第１ドラム支持部が厚さ方向に重なり合うように積み重ねられた場合に前記収納空間が形成される請求項１〜５のいずれかに記載の感光体ドラム収容容器。
【請求項８】
前記外装ケースは、
対向して配置される一対の長さ面及び一対の幅面を有するケース本体と、
前記一対の幅面の上端部及び下端部それぞれに配置される二対の内フラップと、
前記一対の長さ面の上端部及び下端部それぞれに配置される二対の外フラップと、を備え、
前記第２トレイ支持部のうちの少なくとも一部は、前記一対の内フラップの先端部に対応する位置に配置される請求項５に記載の感光体ドラム収容容器。
【発明の詳細な説明】
【技術分野】
【０００１】
本発明は、複数本の感光体ドラムを収容する感光体ドラム収容容器に関する。
【背景技術】
【０００２】
従来、静電式複写機や静電式印刷機等の画像形成装置には、感光体ドラムが使用されている。感光体ドラムは、円筒状に構成されると共に表面に感光層が形成された円筒部と、この円筒部の長手方向の一端部及び他端部に配置されるフランジ部と、を備える。ここで、感光層は、傷つきやすい材料によって形成されている。そのため、感光体ドラムを搬送する場合には、感光層に緩衝シートを巻きつけた状態で複数本の感光体ドラムを収容ケースに収容し、搬送中に感光層が傷つくことを防いでいる。
【０００３】
また、緩衝シートを巻くことなく複数本の感光体ドラムを収容する技術として、上下一対のトレイにより構成され、これら一対のトレイにより複数本の感光体ドラムを挟み込んで収容する感光体ドラム収容容器が提案されている（例えば、特許文献１及び２参照）。
【０００４】
また、シート状の本体部と、この本体部に折り曲げ可能に連結された一対の支持部と、を備える一つの部材により構成され、一対の支持部を本体部に対して略垂直に折り曲げた状態で、一対の支持部により複数本の感光体ドラムの両端部を保持し、複数本の感光体ドラムを宙吊り状態で収容可能な感光体ドラム収容容器も提案されている（例えば、特許文献３参照）。
【先行技術文献】
【特許文献】
【０００５】
【特許文献１】特開２００１−３３９８９号公報
【特許文献２】特開平０８−０５８８６３号公報
【特許文献３】特開２００８−３０２９５２号公報
【発明の概要】
【発明が解決しようとする課題】
【０００６】
しかしながら、特許文献１及び２で提案された感光体ドラム収納容器は、感光体ドラムを、二つの部材によって上下から挟み込む構成であるため、部品点数が多くなって、感光体ドラム収容容器の材料費が高くなってしまう。
【０００７】
材料費を低減するためには、感光体ドラム収容容器の材料となる合成樹脂シートの肉厚を薄くしたり、合成樹脂シートを低分子量の材料により形成したりするといった手段が考えられる。しかしながら、このような手段を採用すると、感光体ドラム収容容器の剛性が不足してしまう。そして、感光体ドラム収容容器の剛性が不足すると、搬送中に外部から受ける衝撃を、感光体ドラム収容容器により十分に吸収できず、感光体ドラム収納容器としての機能を損なってしまう。
【０００８】
また、特許文献３で提案された感光体ドラム収納容器は、一つの部材により構成されているので、部品点数を削減できる。しかしながら、この特許文献３で提案された感光体ドラム収納容器は、感光体ドラムを収容する場合に、一対の支持部を折り曲げた状態で、これら一対の支持部の間に複数本の感光体ドラム宙吊り状態で保持させる必要があるため、感光体ドラムを梱包する作業が煩雑になってしまう。
【０００９】
従って、本発明は、材料費を低減でき、かつ、感光体ドラムを梱包する作業性を向上できる感光体ドラム収容容器を提供することを目的とする。
【課題を解決するための手段】
【００１０】
本発明は、複数の円筒状の感光体ドラムを収納すると共に、厚さ方向に積み重ねられた状態で外装ケースの内部に収容される収容トレイを備える感光体ドラム収容容器であって、前記収容トレイは、前記感光体ドラムの長さに対応する長さを有すると共に該感光体ドラムの直径に対応する幅及び深さを有し、該感光体ドラムの幅方向に所定間隔をあけて配置される複数の収納凹部と、前記収納凹部の長手方向の一端部に配置され、前記感光体ドラムの長手方向の一端部を支持する第１ドラム支持部と、前記収納凹部の長手方向の他端部に配置され、前記感光体ドラムの長手方向の他端部を支持する第２ドラム支持部と、前記複数の収納凹部の周囲から外側に延出する外周部と、前記外周部の一部に設けられ、前記収納凹部に前記感光体ドラムを収納可能な収納空間を形成した状態で、上方に積み重ねられた収容トレイを支持する複数の第１トレイ支持部と、を備える感光体ドラム収容容器に関する。
【００１１】
また、前記収容トレイは、隣り合って配置される２つの収納凹部の間に設けられ、前記収納空間を形成した状態で、上方に積み重ねられた収容トレイを支持する複数の第２トレイ支持部を更に備えることが好ましい。
【００１２】
また、前記収容トレイは、前記収納凹部の長手方向の一端部における下面側に設けられ、下方に配置された収容トレイに収納された感光体ドラムの長手方向の一端部を押圧する第１押圧部と、前記収納凹部の長手方向の他端部における下面側に設けられ、下方に配置された収容トレイに収納された感光体ドラムの長手方向の他端部を押圧する第２押圧部と、を更に備えることが好ましい。
【００１３】
また、前記感光体ドラムは、外周面に感光層が形成された円筒状であり、該円筒状の一端部に第１フランジ部が取り付けられると共に、該円筒状の他端部に第２フランジ部が取り付けられ、前記第１フランジ部は、前記第１ドラム支持部に支持されて前記第１押圧部に押圧され、前記第２フランジ部は、前記第２ドラム支持部に支持されて前記第２押圧部に押圧されることが好ましい。
【００１４】
また、感光体ドラム収容容器は、最も上部に積み重ねられた前記収容トレイの上部に配置され、前記複数の収納凹部を覆う蓋部材を更に備えることが好ましい。
【００１５】
また、感光体ドラム収容容器は、前記第１ドラム支持部と前記第２ドラム支持部とが厚さ方向に重なり合うように前記複数の収容トレイが積み重ねられた場合に前記収納空間が形成され、前記第１ドラム支持部同士が厚さ方向に重なり合うように前記複数の収容トレイが積み重ねられた場合に前記収納空間が形成されないことが好ましい。
【００１６】
また、前記複数の収容トレイは、交互に積み重ねられる第１トレイ及び第２トレイを含んで構成され、前記第１トレイと前記第２トレイとは、前記第１ドラム支持部同士が厚さ方向に重なり合うように積み重ねられた場合に前記収納空間が形成されることが好ましい。
【００１７】
また、前記外装ケースは、対向して配置される一対の長さ面及び一対の幅面を有するケース本体と、前記一対の幅面の上端部及び下端部それぞれに配置される一対の内フラップと、前記一対の長さ面の上端部及び下端部それぞれに配置される一対の外フラップと、を備え、前記第２トレイ支持部のうちの少なくとも一部は、前記一対の内フラップの先端部に対応する位置に配置されることが好ましい。
【００１８】
また、前記収容トレイは、隣り合って配置される収納凹部の間に配置され、該収納凹部の長手方向に沿う方向に延びるリブ部を更に備えることが好ましい。
【発明の効果】
【００１９】
本発明の感光体ドラム収容容器によれば、材料費を低減でき、かつ、感光体ドラムを梱包する作業性を向上できる。
【図面の簡単な説明】
【００２０】
【図１】本発明の第１実施形態に係る感光体ドラム収容容器を示す斜視図である。
【図２】第１実施形態の感光体ドラム収容容器を示す分解斜視図である。
【図３】第１実施形態の感光体ドラム収容容器における第１トレイを示す平面図である。
【図４】図４のＡ−Ａ線断面図である。
【図５】図４のＢ−Ｂ線断面図である。
【図６】第１実施形態の感光体ドラム収容容器における第２トレイを示す平面図である。
【図７】第１実施形態の感光体ドラム収容容器における蓋部材を示す平面図である。
【図８】図７のＣ−Ｃ線断面図である。
【図９】図７のＤ−Ｄ線断面図である。
【図１０】図７のＥ−Ｅ線断面図である。
【図１１】第１実施形態の感光体ドラム収容容器の断面図であり、図１のＦ−Ｆ線断面図である。
【図１２】第１実施形態の感光体ドラム収容容器の断面図であり、図１のＧ−Ｇ線断面図である。
【図１３】第１実施形態の感光体ドラム収容容器を外装ケースに収容した状態を示す断面図である。
【図１４】第１実施形態の感光体ドラム収容容器における第１トレイを２枚重ね合わせた状態を示す断面図である。
【図１５】第２実施形態の感光体ドラム収容容器における収容トレイを示す平面図である。
【発明を実施するための形態】
【００２１】
以下、本発明の感光体ドラム収容容器の好ましい各実施形態について、図面を参照しながら説明する。本発明の感光体ドラム収容容器は、静電式複写機や静電式印刷機等の画像形成装置に使用される感光体ドラムを搬送する場合等に用いられ、感光体ドラムを複数本収容する。
【００２２】
まず、第１実施形態の感光体ドラム収容容器１につき、図１〜図１０を参照しながら説明する。
第１実施形態の感光体ドラム収容容器１は、図１〜図２に示すように、厚さ方向Ｚに積み重ね可能な収容トレイ１０と、収容トレイ１０の上部に配置される蓋部材４０と、を備えて構成される。収容トレイ１０及び蓋部材４０は、ポリエチレンテレフタレート（ＰＥＴ）等の合成樹脂をシート状に成形した樹脂シートを真空成形することにより構成される。この感光体ドラム収容容器１は、複数の収容トレイ１０が積み重ねられ、更に最上段の収容トレイ１０の上部に蓋部材４０が配置された状態で、外装ケース１００の内部に収容される。
【００２３】
外装ケース１００は、図２に示すように、ケース本体１１０と、外フラップ１２０と、内フラップ１３０と、を備える。ケース本体１１０は、対向して配置される一対の長さ面１１１及び一対の幅面１１２を有する。外フラップ１２０は、一対の長さ面１１１の上端部及び下端部それぞれに配置される。内フラップ１３０は、一対の幅面１１２の上端部及び下端部それぞれに配置される。即ち、外フラップ１２０及び内フラップ１３０は、それぞれ二対ずつ配置される。
【００２４】
感光体ドラム５０は、図２に示すように、円筒状に形成され外周面に感光層が形成された円筒部５１と、この円筒部５１の一端部に配置される第１フランジ部としてのギア５２と、円筒部５１の他端部に配置される第２フランジ部３２と、を備える。第１実施形態の感光体ドラム５０では、ギア５２の幅（感光体ドラム５０の長手方向に沿う方向の長さ）は、第２フランジ部５３の幅よりも大きく構成されている。
【００２５】
収容トレイ１０は、図２及び図３に示すように、平面視において矩形形状に形成され、所定の厚さを有する。
第１実施形態では、収容トレイ１０は、後述の第１トレイ支持部１５及び第２トレイ支持部１６等の配置が異なる第１トレイ１０Ａ及び第２トレイ１０Ｂの二種類の形状のトレイにより構成される。
収容トレイ１０（第１トレイ１０Ａ及び第２トレイ１０Ｂ）は、図３〜図６に示すように、複数の収納凹部１１と、第１ドラム支持部１２と、第２ドラム支持部１３と、外周部１４と、複数の第１トレイ支持部１５と、複数の第２トレイ支持部１６と、複数の第１トレイ当接部１７と、複数の第２トレイ当接部１８と、複数の第１押圧部１９と、複数の第２押圧部２０と、複数のリブ２１と、を備える。
【００２６】
複数の収納凹部１１は、図２〜図５に示すように、感光体ドラム５０の長さに対応する長さを有すると共に、感光体ドラム５０の直径に対応する幅及び深さを有する。複数の収納凹部１１は、感光体ドラム５０の幅方向（収容トレイ１０の長手方向Ｘ）に所定間隔をあけて配置される。複数の収納凹部１１は、上面側から下面側に向かって厚さ方向Ｚに凹むように形成される。複数の収納凹部１１には、それぞれ、感光体ドラム５０が収納される。
【００２７】
第１ドラム支持部１２は、図３及び図６に示すように、複数の収納凹部１１それぞれの長手方向の一端部に配置される。第２ドラム支持部１３は、複数の収納凹部１１それぞれの長手方向の他端部に配置される。第１ドラム支持部１２は、収納凹部１１に収納された感光体ドラム５０のギア５２を支持する。第２ドラム支持部１３は、収納凹部１１に収納された感光体ドラム５０の第２フランジ部５３を支持する。
【００２８】
第１ドラム支持部１２及び第２ドラム支持部１３は、それぞれ、収納凹部１１よりも深さが小さく（浅く）形成される。第１実施形態では、第１ドラム支持部１２及び第２ドラム支持部１３は、収納凹部１１の底面から所定の高さ上方に突出した突起により構成される。
【００２９】
外周部１４は、図３及び図６に示すように、収納凹部１１の周囲から外側に延出する。この外周部１４は、収容トレイ１０の上面を構成する。
【００３０】
複数の第１トレイ支持部１５は、外周部１４の一部に設けられる。複数の第１トレイ支持部１５は、図３及び図６に示すように、外周部１４の全周に亘って、所定間隔をあけて配置される。
【００３１】
複数の第２トレイ支持部１６は、隣り合って配置される収納凹部１１の間に設けられる。より具体的には、複数の第２トレイ支持部１６は、図２、図３及び図６に示すように、隣り合って配置される収納凹部１１の間において、収容トレイ１０を構成するシート状部材が上面側に断面略山形状に突出し、かつ、収納凹部１１の長手方向に沿って延びるように成形されて形成された凸条部分の一部により構成される。
【００３２】
複数の第２トレイ支持部１６のうちの一部は、外装ケース１００の内フラップ１３０の先端部に対応する位置に配置される（図１３参照）。
【００３３】
以上の複数の第１トレイ支持部１５及び複数の第２トレイ支持部１６は、厚さ方向Ｚの上方に収容トレイ１０が積み重ねられた場合に、収納凹部１１と上方に積み重ねられた収容トレイ１０の下面との間に、後述する収納空間３０が形成される位置で、上方の収容トレイ１０を支持する（図１１及び図１２参照）。
【００３４】
複数の第１トレイ当接部１７は、外周部１４の一部が下面側に凸となるように成形されて構成される。複数の第１トレイ当接部１７は、厚さ方向Ｚの下方に配置された収容トレイ１０における複数の第１トレイ支持部１５に当接して支持される。
第１実施形態では、第１トレイ１０Ａの複数の第１トレイ当接部１７は、第１トレイ１０Ａと第２トレイ１０Ｂとを、それぞれの第１ドラム支持部１２の位置が一致するように積み重ねた場合に、第２トレイ１０Ｂの複数の第１トレイ支持部１５と厚さ方向Ｚに重なる位置に配置される。また、第２トレイ１０Ｂの複数の第１トレイ当接部１７は、第１トレイ１０Ａと第２トレイ１０Ｂとを、それぞれの第１ドラム支持部１２の位置が一致するように積み重ねた場合に、第１トレイ１０Ａの複数の第１トレイ支持部１５と厚さ方向Ｚに重なる位置に配置される。
【００３５】
複数の第２トレイ当接部１８は、隣り合って配置される収納凹部１１の間に設けられる。より具体的には、複数の第２トレイ当接部１８は、図２〜図６に示すように、隣り合って配置される収納凹部１１の間において、収容トレイ１０を構成する樹脂シートが下面側に凸となるように成形されて形成される。
第１実施形態では、第１トレイ１０Ａの複数の第２トレイ当接部１８は、図３及び図６に示すように、第１トレイ１０Ａと第２トレイ１０Ｂとを、それぞれの第１ドラム支持部１２の位置が一致するように積み重ねた場合に、第２トレイ１０Ｂの複数の第２トレイ支持部１６と厚さ方向Ｚに重なる位置に配置される。また、第２トレイ１０Ｂの複数の第２トレイ当接部１８は、第１トレイ１０Ａと第２トレイ１０Ｂとを、それぞれの第１ドラム支持部１２の位置が一致するように積み重ねた場合に、第１トレイ１０Ａの複数の第２トレイ支持部１６と厚さ方向Ｚに重なる位置に配置される。
【００３６】
第１押圧部１９は、収納凹部１１の長手方向の一端部における下面側に設けられる。この第１押圧部１９は、下方に配置された収容トレイ１０に収納された感光体ドラム５０のギア５２を押圧する。
第２押圧部２０は、収納凹部１１の長手方向の他端部における下面側に設けられる。この第２押圧部２０は、下方に配置された収容トレイ１０に収納された感光体ドラム５０の第２フランジ部５３を押圧する。
第１押圧部１９及び第２押圧部２０は、それぞれ、第１ドラム支持部１２及び第２ドラム支持部１３に連続して設けられ、収容トレイ１０を構成する樹脂シートが下面側に凸となるように成形されて構成される。
【００３７】
ここで、感光体ドラム５０のギア５２の幅は、第２フランジ部５３の幅よりも大きく構成されている。これにより、第１押圧部１９でギア５２を押圧し、第２押圧部２０で第２フランジ部３２を押圧し、第１押圧部１９の押圧面の面積は、第２押圧部２０の押圧面の面積よりも大きく構成される。
【００３８】
リブ２１は、図３及び図６に示すように、隣り合って配置される収納凹部１１の間に配置され、収納凹部１１の長手方向に沿う方向に延びる。リブ２１は、複数の第２トレイ支持部１６を構成する凸条部分よりも低い高さで上面側に凸となって構成される。
【００３９】
蓋部材４０は、図１及び図２に示すように、最も上部に積み重ねられた収容トレイ１０の上部に配置され、複数の収納凹部１１を覆う。この蓋部材４０は、図７〜図１０に示すように、蓋本体４１と、第１当接部４２、第２当接部４３、第１ドラム押圧部４４、及び第２ドラム押圧部４５と、を備える。
【００４０】
蓋本体４１は、平面視において収容トレイ１０と略同形同大の矩形形状に形成される。
第１当接部４２、第２当接部４３、第１ドラム押圧部４４、及び第２ドラム押圧部４５は、図７〜図１０に示すように、いずれも蓋本体４１の下面側に突出して形成される。
第１当接部４２は、第１トレイ支持部１５に当接する。第２当接部４３は、第２トレイ支持部１６に当接する。
【００４１】
第１当接部４２は、図３、図６及び図７に示すように、第１トレイ１０Ａにおける第１トレイ支持部１５と厚さ方向Ｚに重なる位置、及び第２トレイ１０Ｂにおける第１トレイ支持部１５と厚さ方向Ｚに重なる位置に形成される。
第２当接部４３は、第１トレイ１０Ａにおける第２トレイ支持部１６と厚さ方向Ｚに重なる位置、及び第２トレイ１０Ｂにおける第２トレイ支持部１６と厚さ方向Ｚに重なる位置に形成される。
これにより、蓋部材４０は、第１トレイ１０Ａの上部に配置された場合、及び第２トレイ１０Ｂの上部に配置された場合のいずれの場合においても、第１当接部４２及び第２当接部４３により第１トレイ支持部１５及び第２トレイ支持部１６を好適に押圧できる。
【００４２】
第１ドラム押圧部４４は、収容トレイ１０の上部に積み重ねられた場合に、第１ドラム支持部１２と厚さ方向Ｚに重なる位置に形成される。第１ドラム押圧部４４は、下方に配置された収容トレイ１０に収納された感光体ドラム５０のギア５２を押圧する。
第２ドラム押圧部４５は、収容トレイ１０の上部に積み重ねられた場合に、第２ドラム支持部１３と厚さ方向Ｚに重なる位置に形成される。第２ドラム押圧部４５は、下方に配置された収容トレイ１０に収納された感光体ドラム５０の第２フランジ部５３を押圧する。
【００４３】
次に、第１実施形態の感光体ドラム収容容器１に感光体ドラム５０を収容する手順につき、図１、図２、図１１〜図１３を参照しながら説明する。
図１１及び図１２は、第１実施形態の感光体ドラム収容容器１において、収容トレイ１０を複数段積み重ね、最上段の収容トレイ１０の上部に蓋部材４０を配置した状態を示す断面図であり、図１１は、図１のＦ−Ｆ線断面図を示し、図１２は、図１のＧ−Ｇ線断面図を示す。図１３は、第１実施形態の感光体ドラム収容容器１を外装ケース１００に収容した状態を示す断面図である。
【００４４】
第１実施形態の感光体ドラム収容容器１には、以下の手順で感光体ドラム５０が収容される。
まず、第２トレイ１０Ｂの複数の収納凹部１１に、感光体ドラム５０を収納する。ここで、感光体ドラム５０は、ギア５２を第１ドラム支持部１２に載せると共に、第２フランジ部５３を第２ドラム支持部１３に載せる。
【００４５】
次いで、感光体ドラム５０が収納された第２トレイ１０Ｂの上に、第１トレイ１０Ａを積み重ねる。ここで、第１トレイ１０Ａは、互いの第１ドラム支持部１２同士が収容トレイ１０の厚さ方向Ｚに重なり合うように積み重ねられる。
【００４６】
次いで、第１トレイ１０Ａの複数の収納凹部１１に、感光体ドラム５０を収納する。この場合も、ギア５２を第１ドラム支持部１２に載せると共に、第２フランジ部５３を第２ドラム支持部１３に載せる。
このようにして、第１トレイ１０Ａと第２トレイ１０Ｂとを、感光体ドラム５０を収納しながら所定の段数交互に積み重ねていく。
第１トレイ１０Ａと第２トレイ１０Ｂとを所定の段数積み重ねた後、最上段の収容トレイ１０の上部に、蓋部材４０を配置する。
【００４７】
以上の感光体ドラム収容容器１では、図１１及び図１２に示すように、第１トレイ１０Ａと第２トレイ１０Ｂとが交互に積み重ねられた状態では、第１トレイ１０Ａにおける複数の第１トレイ支持部１５は、第２トレイ１０Ｂにおける複数の第１トレイ当接部１７を支持し、第１トレイ１０Ａにおける複数の第２トレイ支持部１６は、第２トレイ１０Ｂにおける複数の第２トレイ当接部１８を支持する。
【００４８】
また、第２トレイ１０Ｂにおける複数の第１トレイ支持部１５は、第１トレイ１０Ａにおける複数の第１トレイ当接部１７を支持し、第２トレイ１０Ｂにおける複数の第２トレイ支持部１６は、第１トレイ１０Ａにおける複数の第２トレイ当接部１８を支持する。
そして、この状態では、図１１及び図１２に示すように、収納凹部１１と上方に積み重ねられた収容トレイ１０の下面との間に、感光体ドラム５０が収納可能な収納空間３０が形成される。
【００４９】
収納空間３０（収納凹部１１）に収容された感光体ドラム５０は、図２及び図１１に示すように、ギア５２が第１ドラム支持部１２に支持され、第２フランジ部５３が第２ドラム支持部１３に支持された状態で収容トレイ１０に収容される。また、感光体ドラム５０は、上方に配置された収容トレイ１０の第１押圧部１９によりギア５２が押圧され、第２押圧部２０により、第２フランジ部５３が押圧される。更に、最上段の収容トレイ１０の収納凹部１１に収納された感光体ドラム５０は、蓋部材４０の第１ドラム押圧部４４によりギア５２が押圧され、第２ドラム押圧部４５により第２フランジ部５３が押圧される。
【００５０】
また、収納凹部１１に収納された感光体ドラム５０は、図１２に示すように、ギア５２が支持される第１ドラム支持部１２及び第２フランジ部５３が支持される第２ドラム支持部１３を除く部分、即ち、感光層が形成された円筒部５１においては、収容トレイ１０には接触せず、収容トレイ１０との間に所定の隙間が形成される。
収納空間３０における感光体ドラム５０の円筒部５１の表面（感光層）と収容トレイ１０との間の隙間の距離Ｌ１は、感光体ドラム収容容器１を搬送した場合に受ける衝撃等により、収容トレイ１０と感光体ドラム５０の感光層とが接触することを防ぐ観点から、好ましくは２ｍｍ〜１２ｍｍである。
【００５１】
蓋部材４０が配置された感光体ドラム収容容器１は、図１３に示すように、外装ケース１００に収容される。外装ケース１００として、外フラップ１２０及び内フラップ１３０を有するダンボール箱（いわゆるＡ式ケース）を用いた場合、外装ケース１００に感光体ドラム収容容器１を収容した後、まず、内フラップ１３０を内側に倒した後、外フラップ１２０を内側に倒して、外装ケース１００を閉じる。そのため、外装ケース１００に収容された感光体ドラム収容容器１の蓋部材４０は、内フラップ１３０によって上方から押圧される。
ここで、第１実施形態では、複数の第２トレイ支持部１６のうちの一部は、内フラップ１３０の先端部に対応する位置に配置されているので、蓋部材４０が内フラップ１３０に押圧された場合であっても内フラップ１３０の先端部を第２トレイ支持部１６により支持できる。
【００５２】
また、第１実施形態の感光体ドラム収容容器１では、第１トレイ１０Ａ同士を積み重ねた場合、及び第２トレイ１０Ｂ同士を積み重ねた場合には、図１４に示すように、第１トレイ支持部１５、第２トレイ支持部１６、第１トレイ当接部１７及び第２トレイ当接部１８が厚さ方向に重なる位置に配置されるため、収納空間３０が形成されない。これにより、第１トレイ１０Ａ同士、又は第２トレイ１０Ｂ同士を積み重ねることで、厚さが厚くならない状態で複数の第１トレイ１０Ａ及び第２トレイ１０Ｂを積み重ねられる。
【００５３】
以上説明した第１実施形態の感光体ドラム収容容器１によれば、以下のような効果を奏する。
【００５４】
（１）複数の収納凹部１１を感光体ドラム５０の長さに対応する長さ、直径に対応する幅及び深さに形成して構成すると共に、収容トレイ１０を、収納空間３０を形成した状態で積み上げ可能な複数の第１トレイ支持部を含んで構成した。これにより、感光体ドラム５０を収容する収納空間３０を保ちつつ複数の収容トレイ１０を厚さ方向に積み重ねられる。よって、感光体ドラム収容容器１を、感光体ドラム５０の下面側を覆う部材及び上面側を覆う部材の二つの部材で構成することなく、一の部材により構成できるので、感光体ドラム収容容器１を構成する部品点数を削減でき、感光体ドラム収容容器１を構成する部材の材料費を節減できる。
また、上方に収容トレイ１０を積み重ねるだけで、下方の収容トレイ１０に収納した感光体ドラム５０を梱包できると共に、上方の収容トレイ１０を取り除くだけで下方の収容トレイ１０を開放できるので、梱包作業及び開梱作業の作業性を向上できる。
【００５５】
（２）収容トレイ１０を、隣り合って配置される２つの収納凹部１１の間に設けられる複数の第２トレイ支持部１６を含んで構成した。これにより、厚さ方向Ｚに積み重ねた複数の収容トレイ１０をより安定的に支持できる。
【００５６】
（３）収容トレイ１０を、感光体ドラム５０の一端部を押圧する第１押圧部１９と、感光体ドラム５０の他端部を押圧する第２押圧部２０と、を含んで構成した。これにより、下方の収容トレイ１０の収納凹部１１に収容した感光体ドラム５０を、上方の収容トレイ１０の第１押圧部１９及び第２押圧部２０によって押圧して支持できるので、感光体ドラム５０をより安定的に保持できる。
【００５７】
（４）第１実施形態では、感光体ドラム５０のギア５２の幅は、第２フランジ部５３の幅よりも大きく構成されている。そこで、第１押圧部１９の押圧面の面積を、第２押圧部２０の押圧面の面積よりも大きく構成した。これにより、第１押圧部１９でギア５２を押圧し、第２押圧部２０で第２フランジ部３２を押圧することにより、感光体ドラム５０を、感光層を傷つけることなく、より広い面積で押圧できる。
【００５８】
（５）感光体ドラム収容容器１を、蓋部材４０を含んで構成した。これにより、最上段の収容トレイ１０の上部に更に収容トレイ１０を積み重ねることなく、厚さの薄い蓋部材４０により、最上段の収容トレイ１０に収容された感光体ドラム５０を保護できる。よって、感光体ドラム収容容器１をコンパクト化できる。
【００５９】
（６）収容トレイ１０を、第１トレイ１０Ａと第２トレイ１０Ｂとを含んで構成した。また、第１トレイ１０Ａ及び第２トレイ１０Ｂにおける第１トレイ支持部１５及び第２トレイ支持部１６を、第１ドラム支持部１２同士が厚さ方向Ｚに重なり合うように第１トレイ１０Ａと第２トレイ１０Ｂとを積み重ねた場合に収納空間３０が形成される位置に配置した。これにより、収容トレイ１０を複数段積み重ねた場合に、それぞれの収容トレイ１０に収容される感光体ドラム５０の向きを一致させられる。よって、感光体ドラム収容容器１に収容された感光体ドラム５０を取り出す場合における作業性をより向上できる。
また、第１トレイ１０Ａ同士を積み重ねた場合、及び第２トレイ１０Ｂ同士を積み重ねた場合に、第１トレイ支持部１５、第２トレイ支持部１６、第１トレイ当接部１７及び第２トレイ当接部１８が厚さ方向に重なる位置に配置されるため、収納空間３０が形成されない。これにより、第１トレイ１０Ａ同士、又は第２トレイ１０Ｂ同士を積み重ねることで、厚さが厚くならない状態で複数の第１トレイ１０Ａ及び第２トレイ１０Ｂを積み重ねられ、輸送コストの削減や保管コストの削減がなされる。
【００６０】
（７）外装ケース１００として、外フラップ１２０及び内フラップ１３０を有するダンボール箱（いわゆるＡ式ケース）を用いた場合、外装ケース１００に感光体ドラム収容容器１を収容した後、まず、内フラップ１３０を内側に倒した後、外フラップ１２０を内側に倒して、蓋をする。そのため、外装ケース１００に収容された感光体ドラム収容容器１の蓋部材４０は、内フラップ１３０によって上方から押圧される。そこで、複数の第２トレイ支持部１６のうちの一部を、内フラップ１３０の先端部に対応する位置に配置した。これにより、蓋部材４０が内フラップ１３０に押圧された場合であっても内フラップ１３０の先端部を第２トレイ支持部１６により支持できる。よって、搬送中等において、内フラップ１３０の先端部により感光体ドラム５０の感光層が損傷することを防げる。
【００６１】
（８）隣り合って配置される収納凹部１１の間に、収納凹部１１の長手方向に沿って延びるリブ２１を配置した。これにより、収容トレイ１０の剛性を高めることができ、感光体ドラム５０を、より良好に保護できる。
【００６２】
（９）収納空間３０が形成された状態で、感光体ドラム５０の感光層と収容トレイ１０との間に２ｍｍ〜１２ｍｍの隙間を形成した。これにより、搬送中等において、感光層が収容トレイ１０に接触して損傷するといった事態を防止できる。
【００６３】
次に、本発明の第２実施形態に係る感光体ドラム収容容器１について、図１５を参照しながら説明する。図１５は、第２実施形態の感光体ドラム収容容器１における収容トレイ１０Ｃを示す平面図である。
尚、第２実施形態の説明にあたって、同一構成要件については同一符号を付し、その説明を省略もしくは簡略化する。
【００６４】
第２実施形態の感光体ドラム収容容器１は、主として、収容トレイ１０Ｃの構成において、第１実施形態と異なる。
第２実施形態では、収容トレイ１０Ｃは、複数の同形状の収容トレイ１０Ｃにより構成される。収容トレイ１０Ｃは、第１実施形態と同様に、複数の収納凹部１１と、第１ドラム支持部１２と、第２ドラム支持部１３と、外周部１４と、複数の第１トレイ支持部１５と、複数の第２トレイ支持部１６と、複数の第１トレイ当接部１７と、複数の第２トレイ当接部１８と、複数の第１押圧部１９と、複数の第２押圧部２０と、複数のリブ２１と、を備える。
【００６５】
第２実施形態では、第１トレイ支持部１５と第１トレイ当接部１７とは、収容トレイ１０Ｃの長手方向Ｘに延びる中心線Ｃ１に対して線対称となる位置に配置される。また、第２トレイ支持部１６と第２トレイ当接部１８とは、収容トレイ１０Ｃの長手方向Ｘに延びる中心線Ｃ１に対して線対称となる位置に配置される。これにより、第２実施形態の感光体ドラム収容容器１は、収容トレイ１０を、第１ドラム支持部１２と第２ドラム支持部１３とが厚さ方向Ｚに重なり合うように積み重ねた場合に収納空間３０が形成される。また、第１ドラム支持部１２同士が厚さ方向Ｚに重なり合うように複数の収容トレイ１０Ｃが積み重ねられた場合には、収納空間３０は形成されない。
【００６６】
第２実施形態の感光体ドラム収容容器１によれば、上述した（１）〜（５）、（７）〜（９）の効果を奏する他、以下のような効果を奏する。
【００６７】
（１０）第１トレイ支持部１５と第１トレイ当接部１７とを、収容トレイ１０Ｃの長手方向Ｘに延びる中心線Ｃ１に対して線対称となる位置に配置し、第２トレイ支持部１６と第２トレイ当接部１８とを、収容トレイ１０Ｃの長手方向Ｘに延びる中心線Ｃ１に対して線対称となる位置に配置した。これにより、収容トレイ１０を、第１ドラム支持部１２と第２ドラム支持部１３とが厚さ方向Ｚに重なり合うように積み重ねた場合に収納空間３０を形成できる。よって、同形状の収容トレイ１０Ｃを用いて、本発明の感光体ドラム収容容器１を構成できる。また、第１ドラム支持部１２同士が厚さ方向Ｚに重なり合うように複数の収容トレイ１０Ｃが積み重ねられた場合には、収納空間３０は形成されないので、収容トレイ１０Ｃに感光体ドラム５０を収容しない状態では、複数の収容トレイ１０Ｃをコンパクトに積み重ねられる。
【００６８】
以上、本発明の感光体ドラム収容容器１の好ましい各実施形態について説明したが、本発明は、上述した実施形態に制限されるものではなく、適宜変更が可能である。
例えば、第１実施形態及び第２実施形態では、収容トレイ１０を、樹脂シートにより構成したが、これに限らない。即ち、収容トレイを、ダンボール材やパルプモールド材により構成してもよい。
【００６９】
また、第１実施形態及び第２実施形態では、外装ケース１００として段ボール箱を用いたが、これに限らない。即ち、外装ケースとして、樹脂製のケースを用いてもよい。
【００７０】
また、第１実施形態及び第２実施形態では、感光体ドラム収容容器１には、円筒部５１と、ギア５２と、第２フランジ部５３と、を備える感光体ドラム５０を収容したが、これに限らない。即ち、感光体ドラム収容容器に、ギア及び第２フランジ部が取り付けられていない状態の円筒部のみからなる感光体ドラムを収容してもよい。この場合、第１ドラム支持部及び第２ドラム支持部は、円筒部の一端部及び他端部における感光層が形成されていない部分を支持することで、感光層を傷つけることなく感光体ドラムを収納トレイに収納できる。
【符号の説明】
【００７１】
１……感光体ドラム収容容器、１０……収容トレイ、１０Ａ……第１トレイ、１０Ｂ……第２トレイ、１１……収納凹部、１２……第１ドラム支持部、１３……第２ドラム支持部、１４……外周部、１５……第１トレイ支持部、１６……第２トレイ支持部、１７……第１トレイ当接部、１８……第２トレイ当接部、１９……第１押圧部、２０……第２押圧部、２１……リブ、３０……収納空間、４０……蓋部材、４１……蓋本体、５０……感光体ドラム、５１……円筒部、５２……ギア（第１フランジ部）、５３……第２フランジ部、１００……外装ケース、１１０……ケース本体、１２０……外フラップ、１３０……内フラップ
【図１】
0005963841.tif 000002
【図２】
0005963841.tif 000003
【図３】
0005963841.tif 000004
【図４】
0005963841.tif 000005
【図５】
0005963841.tif 000006
【図６】
0005963841.tif 000007
【図７】
0005963841.tif 000008
【図８】
0005963841.tif 000009
【図９】
0005963841.tif 000010
【図１０】
0005963841.tif 000011
【図１１】
0005963841.tif 000012
【図１２】
0005963841.tif 000013
【図１３】
0005963841.tif 000014
【図１４】
0005963841.tif 000015
【図１５】
0005963841.tif 000016